(57)【要約】      （修正有）【課題】ケーキの装飾が完成した状態で内包することができるとともに、内包されたケーキを外部から見ることができるケーキ搬送容器を提供する。【解決手段】ケーキの装飾が完成した状態で容器１の外部に出すことができ、搬送後、新たに装飾を施す必要がない。また、少なくとも一部を透明としており、内包したケーキを容器外部から視認することができる。【選択図】図１
2006225040.tif 000002
【特許請求の範囲】
【請求項１】
ケーキを搬送する際に使用するケーキ搬送容器であって、
略平板状部材の下面に直交するように脚体を備えるとともに上面に棒体を立設し、ケーキを載せるケーキ台と、
前記ケーキ台を定置する定置部と、
前記定置部に着脱自在に取り付けることで前記ケーキ台と前記ケーキとを内包し、少なくとも一部を透明とする容器本体とを有することを特徴とするケーキ搬送容器。
【請求項２】
前記ケーキ台は、略平板状部材の上面に棒体を立設した第１の台部と、
略平板状部材の下面に直交するように脚体を備えるとともに上面に棒体を立設し、前記第１の台部の棒体に前記脚体を積み重ねた少なくとも１つの第２の台部と、
略平板状部材の下面に直交するように脚体を備え、前記第２の台部の棒体に前記脚体を積み重ねた第３の台部とにより構成される
ことを特徴とする請求項１記載のケーキ搬送容器。
【請求項３】
前記ケーキ台は、前記棒体の先端をテーパー状とすることを特徴とする請求項１記載のケーキ搬送容器。
【請求項４】
前記第２の台部及び前記第３の台部の脚体は筒状であり、
前記ケーキ台は、前記第１の台部の棒体を前記第２の台部の筒状の脚体の筒中に着脱自在に嵌め込むことで第１の台部と第２の台部とを積み重ね、
前記第２の台部の棒体を前記第３の台部の筒状の脚体の筒中に着脱自在に嵌め込むことで第２の台部と第３の台部とを積み重ねることを特徴とする請求項２記載のケーキ搬送容器。
【請求項５】
前記容器本体は、前記ケーキ台に載せられるケーキを照らす照明手段を備えていることを特徴とする請求項１記載のケーキ搬送容器。
【請求項６】
前記定置部は、前記ケーキ台の前記脚体の位置に対応する位置に前記脚体の形状に対応する形状の窪みを設けることを特徴とする請求項１記載のケーキ搬送容器。
【請求項７】
前記ケーキ搬送容器の内部の温度を該ケーキ搬送容器の外部の温度よりも低く保つ冷却手段を備えることを特徴とする請求項１記載のケーキ搬送容器。
【請求項８】
前記定置部は、前記ケーキ台の前記略平板状部材の法線と平行な軸を中心として前記ケーキ台を回転させる駆動源を備えることを特徴とする請求項１記載のケーキ搬送容器。
【発明の詳細な説明】
【技術分野】
【０００１】
本発明は、ケーキを搬送する際に使用するケーキ搬送容器に関するものである。
【背景技術】
【０００２】
従来、ケーキを搬送する容器としては、紙製の箱型の容器がある。このような紙製の箱型の容器は、内包されたケーキを容器外部から見ることができない。また、透明な容器でケーキを食する際に内包されていたケーキをその容器の上に置き、小さなケーキを大きく見せることができるケーキの容器を兼ねたケーキ台がある（例えば、特許文献１参照）。
【０００３】
【特許文献１】特開平１１−１５７５４４号公報
【発明の開示】
【発明が解決しようとする課題】
【０００４】
上記特許文献１の容器に内包されるケーキの装飾は、ケーキを容器に載せることで完成する。したがって、内包されたケーキは、装飾が完成していない状態のものである。すなわち、ケーキを搬送する際は、ケーキの装飾が未完成であり、装飾が完成された状態のケーキを搬送中に容器外部から見ることができない。
【０００５】
そこで、本発明は、上記実状に鑑み、ケーキの装飾が完成した状態で内包することができるとともに、内包されたケーキを外部から見ることができるケーキ搬送容器を提供することを目的とする。
【課題を解決するための手段】
【０００６】
本発明のケーキ搬送容器は、ケーキを搬送する際に使用するケーキ搬送容器であって、略平板状部材の下面に直交するように脚体を備えるとともに上面に棒体を立設し、ケーキを載せるケーキ台と、前記ケーキ台を定置する定置部と、前記定置部に着脱自在に取り付けることで前記ケーキ台と前記ケーキとを内包し、少なくとも一部を透明とする容器本体とを有することを特徴とする。
【０００７】
本発明のケーキ搬送容器によれば、装飾が完成した状態で容器の外部に出すことができ、搬送後新たに装飾を施す必要がない。また、少なくとも一部を透明としており、内包したケーキを容器外部から視認することができる。したがって、本発明のケーキ搬送容器は、ケーキの装飾が完成した状態で搬送することができるとともに、装飾が完成したケーキを搬送中に容器外部から視認することができる。ケーキを食する際は、脚体の付いたケーキ台を取り出すため、ケーキの装飾を維持したまま容器外部にケーキを出すことができる。
【０００８】
本発明のケーキ搬送容器において、前記ケーキ台は、略平板状部材の上面に棒体を立設した第１の台部と、略平板状部材の下面に直交するように脚体を備えるとともに上面に棒体を立設し、前記第１の台部の棒体に前記脚体を積み重ねた少なくとも１つの第２の台部と、略平板状部材の下面に直交するように脚体を備え、前記第２の台部の棒体に前記脚体を積み重ねた第３の台部とにより構成されることを特徴とする。これにより、ケーキの装飾性を高めることができる。
【０００９】
本発明のケーキ搬送容器において、前記ケーキ台は、前記棒体の先端をテーパー状とすることを特徴とする。これにより、ケーキを棒体に刺しやすくなる。ケーキを棒体に刺すことでケーキをケーキ台に載せるだけでなくケーキを固定することができる。したがって、容器にケーキを入れて搬送する際、多少容器が傾いたり、容器に衝撃が加わったりしてもケーキの装飾を崩さずに搬送することができる。
【００１０】
本発明のケーキ搬送容器において、前記第２の台部及び前記第３の台部の脚体は筒状であり、前記ケーキ台は、前記第１の台部の棒体を前記第２の台部の筒状の脚体の筒中に着脱自在に嵌め込むことで第１の台部と第２の台部とを積み重ね、前記第２の台部の棒体を前記第３の台部の筒状の脚体の筒中に着脱自在に嵌め込むことで第２の台部と第３の台部とを積み重ねることを特徴とする。これにより、第１の台部の棒体及び第２の台部の棒体を、第２の台部の筒状の脚体と第３の台部の筒状の脚体にそれぞれ着脱自在に嵌め込むことで、容易に第１の台部、第２の台部及び第３の台部を容易に積み重ねることができる。そして、積み重ねられた各台部は棒体が筒状の脚体に嵌め込まれていることで安定したケーキ台を構成することができる。また、各台部は着脱自在であるため各台部を分けることもできる。
【００１１】
本発明のケーキ搬送容器において、前記容器本体は、前記ケーキ台に載せられるケーキを照らす照明手段を備えていることを特徴とする。これにより、容器に納められた装飾されたケーキを容器外部から見えやすくすることができる。また、暗いところでも装飾されたケーキを容器外部から見ることができる。
【００１２】
本発明のケーキ搬送容器において、前記定置部は、前記ケーキ台の前記脚体の位置に対応する位置に前記脚体の形状に対応する形状の窪みを設けることを特徴とする。これにより、ケーキ台とケーキ台を定置する定置部とを着脱自在に嵌め込むことができる。すなわち、ケーキ台が容器内で動くことを抑制し、よりケーキ及びケーキに施した装飾を維持したまま搬送しやすくすることができる。
【００１３】
本発明のケーキ搬送容器において、前記ケーキ搬送容器の内部の温度を該ケーキ搬送容器の外部の温度よりも低く保つ冷却手段を備えることを特徴とする。これにより、ケーキを冷却しつつ搬送が可能となり、ケーキが傷まずに搬送することができる。
【００１４】
本発明のケーキ搬送容器において、前記定置部は、前記ケーキ台の前記略平板状部材の法線と平行な軸を中心として前記ケーキ台を回転させる駆動源を備えることを特徴とする。ケーキ台を回転させることで、ケーキを眺める人が動かなくてもケーキの施された装飾の全てを見せることが可能となる。そして、これによってよりケーキの装飾性を高めることができる。
【発明の効果】
【００１５】
本発明のケーキ搬送容器によれば、装飾が完成した状態で容器の外部に出すことができ、搬送後新たに装飾を施す必要がない。また、少なくとも一部を透明としており、内包したケーキを容器外部から視認することができる。したがって、本発明のケーキ搬送容器は、ケーキの装飾が完成した状態で搬送することができるとともに、装飾が完成したケーキを搬送中に容器外部から視認することができる。
【発明を実施するための最良の形態】
【００１６】
本発明のケーキ搬送容器について、図面を参照しながら説明する。なお、本発明は、以下の説明に限られるものではなく、本発明の主旨を逸脱しない範囲において適宜変更可能である。
【００１７】
本発明のケーキ搬送容器１は、図１及び図２のように、ケーキを載せるケーキ台２と、ケーキ台２を定置する定置部３と、定置部３に着脱自在に取り付けられる容器本体４とを有している。そして、本発明のケーキ搬送容器１は、定置部３と容器本体４とを着脱自在に取り付けられることで、ケーキ台２に載せられるケーキを内包する容器となる。
【００１８】
ケーキ台２は、図１及び図２に示されるように、ケーキ台２の中で最も下側に備えられる第１の台部２１と、第１の上側に積み重ねられる第２の台部２２と、第２の台部の上側に積み重ねられる第３の台部２３とにより構成されている。図１及び図２において、ケーキ台２は、３つの台部を有するものであるが、これに限定するものではなく、１つや２つの台部を有するものでも、それ以上の台部を有するものでもよい。例えば、第３の台部のみを使用して１段のケーキ台としてもよい。また、第１の台部と第３の台部を使用して２段の２段のケーキ台としてもよい。第２の台部２２を２つ使用し、第２の台部２２同士を積み重ねることで４段のケーキ台としてもよい。
【００１９】
第１の台部２１は、略平板状部材である板２１０を有している。板２１０の定置部３と向かい合う面である下面には、板２１０の下面に対して直交するように所要の間隔をあけて３つの脚体２１１が備えられている。
【００２０】
そして、３つの脚体２１１を有する下面の反対側の上面は、ケーキが載せられる面であり、その上面には所要の間隔をあけて３つの棒体２１２が立設されている。この棒体２１２の先端はテーパー状に形成されているため、ケーキを第１の台部２１の板２１０に載せる際、この棒体２１２をケーキに刺しやすくすることができる。そして、棒体２１２をケーキに刺すことでケーキを第１の台部２１に固定することができる。この棒体２１２は、下記で説明する第２の台部２２の筒状の脚体２２１の筒中に着脱自在に嵌め込まれる。これにより、第１の台部２１と第２の台部２２とを積み重ねることができる。
【００２１】
図１及び図２に示される第１の台部２１は、ハート型の板２１０であるが、板２１０の形状はこれに限定されるものではなく、円形や矩形であってもよい。また、第１の台部２１は透明であってもよい。脚体２１１及び棒体２１２の数や配置も限定されるものではない。
【００２２】
第２の台部２２は、略平板状部材である板２２０を有している。板２２０の第１の台部２１の上面と向かい合う面である下面には、板２２０の下面に対して直交し、第１の台部２１の棒体２１２の位置に対応する位置に３つの脚体２２１が備えられている。この脚体２２１は、内部を中空とする筒状であり、その筒状の脚体２２１の筒中に第１の台部２１の棒体２１２の先端を着脱自在に嵌め込み、第１の台部２１と第２の台部２２とを積み重ねることができる。第１の台部２１の棒体２１２を第２の台部２２の脚体２２１に嵌め込むことで、第１の台部２１と第２の台部２２とを安定させることができる。
【００２３】
そして、３つの脚体２２１を有する下面の反対側の上面は、ケーキが載せられる面であり、その上面には所要の間隔をあけて３つの棒体２２２が立設されている。この棒体２２２の先端はテーパー状に形成されているため、ケーキを第２の台部２２の板２２０に載せる際、この棒体２２２をケーキに刺しやすくすることができる。そして、棒体２２２をケーキに刺すことでケーキを第２の台部２２に固定することができる。この棒体２２２は、下記で説明する第３の台部２３の筒状の脚体２３１の筒中に着脱自在に嵌め込まれる。これにより、第２の台部２２と第３の台部２３とを積み重ねることができる。
【００２４】
図１及び図２に示される第２の台部２２は、ハート型の板２２０であるが、板２２０の形状はこれに限定されるものではなく、円形や矩形であってもよい。また、第２の台部２２は透明であってもよい。第２の台部の板２２０は、第１の台部２１の板２１０と同じ形状であっても異なる形状であってもよい。脚体２２１及び棒体２２２の数や配置も限定されるものではない。
【００２５】
第３の台部２３は、略平板状部材である板２３０を有している。板２３０の第２の台部２２の上面と向かい合う面である下面には、板２３０の下面に対して直交し、第２の台部２２の棒体２２２の位置に対応する位置に３つの脚体２３１が備えられている。この脚体２３１は、内部を中空とする筒状であり、その筒状の脚体２３１の筒中に第２の台部２２の棒体２２２の先端を着脱自在に嵌め込み、第２の台部２２と第３の台部２３とを積み重ねることができる。第２の台部２２の棒体２２２を第３の台部２３の脚体２３１に嵌め込むことで、第２の台部２２と第３の台部２３とを安定させることができる。
【００２６】
そして、３つの脚体２３１を有する下面の反対側の上面は、ケーキが載せられる面であり、その上面には所要の間隔をあけて３つの棒体２３２が立設されている。この棒体２３２は、第１の台部２１の棒体２１２や第２の台部２２の棒体２２２のようにケーキを突き抜けないものが備えられている。この棒体２３２の先端はテーパー状に形成されているため、ケーキを第３の台部２３の板２３０に載せる際、この棒体２３２をケーキに刺しやすくすることができる。そして、棒体２３２をケーキに刺すことでケーキを第３の台部２３に固定することができる。
【００２７】
図１及び図２に示される第３の台部２３は、ハート型の板２３０であるが、板２３０の形状はこれに限定されるものではなく、円形や矩形であってもよい。また、第３の台部２３は、透明であってもよい。第３の台部の板２３０は、第１の台部２１の板２１０や第２の台部２２の板２２０と同じ形状であっても異なる形状であってもよい。脚体２３１及び棒体２３２の数や配置も限定されるものではない。
【００２８】
ケーキ台２は、上述の第１の台部２１に第２の台部２２を積み重ね、さらにその第２の台部２２に第３の台部２３を積み重ねることで形成される。このとき、第１の台部２１の棒体２１２に第２の台部２２の脚体２２１を着脱自在に嵌め込み、第２の台部の棒体２２２に第３の台部２３の脚体２３１を着脱自在に嵌め込むことで各台部が安定し、容易に崩れないケーキ台２とすることができる。
【００２９】
定置部３は、第１の台部２１、第２の台部２２及び第３の台部により構成されるケーキ台２を定置する。この定置部３は、ケーキ台２の最も下側に備えられる第１の台部２１の脚体２１１の形状に対応する形状の窪み３０を３つ有している。そして、その３つの窪み３０は、第１の台部２１の脚体２１１の位置に対応する位置に設けられる。この窪み３０に第１の台部２１の脚体２１１を着脱自在に嵌め込むことで、第１の台部２１を定置することができ、定置部３にケーキ台２を固定することができる。これにより、ケーキ台が容器内で動くことを抑制し、よりケーキ及びケーキに施した装飾を維持したまま搬送しやすくすることができる。
【００３０】
定置部３は係止具３１を有している。この係止具３１は、下記で説明する容器本体４の係止具掛具４０に係止具３１を引っ掛け、定置部３に容器本体４を着脱自在に取り付けることができる。定置部３に容器本体４を着脱自在に取り付けることで、ケーキ台２に載せられたケーキを定置部３と容器本体４とに形成される容器の内部に内包することができる。そして、係止具３１を係止具掛具４０から取り外すことで、内包されたケーキ台２ケーキを取り出すこともできる。この定置部３への容器本体４の取り付け方法としては、着脱自在に取り付けることができる方法であれば特に限定されるものではない。例えば、定置部３と容器本体４との接触部分近傍に螺子切りを施し、容器本体４と定置部３とを螺合してもよい。
【００３１】
容器本体４は、上端を塞いだ円筒状の形状で、少なくとも定置部３に着脱自在に取り付けられることで少なくとも一部が透明である。この容器本体４は、係止具３１を引っ掛ける係止具掛具４０を定置部３の係止具３１の位置に対応する位置に備えている。この係止具掛具４０に係止具３１を引っ掛け、定置部３に容器本体４を着脱自在に取り付けることができる。容器本体４は、一部が透明であることで内包するケーキ台２に載せられるケーキを容器外部から視認することができる。また、容器本体４の塞がれた上端には、取っ手４２を有している。この取っ手４２によって、本発明のケーキ搬送容器１を持ちやすくすることができる。容器本体４の形状は特に限定されるものではなく、例えば角柱状の容器であってもよい。また、この容器本体４には、定置部３に着脱自在に取り付けられた際、内部の温度を低く保つために、ドライアイスや保冷剤等の冷却手段を冷却部として設けてもよい。この冷却部は、下記で詳細に説明する。
【００３２】
容器本体４は、図３のように、塞がれた上端側に照明手段として照明部４１が備えられている。この照明部４１は、図示されていない電源により点灯する。照明部４１を備えることにより、内包されるケーキを照らすことができる。また、照明部４１は、点灯だけではなく、点滅させてもよい。これにより、内包されたケーキを見えやすく、目立たせることができる。また、暗い場所でも内包されたケーキを見せることができる。また、ケーキの装飾として照明部４１を使用することもでき、ケーキの装飾性を高めることができる。白色の光のみならず、赤色、緑色、青色等の光を組み合わせてもよく、例えば、このような光を使用してケーキやケーキ搬送容器１の装飾を行ってもよい。容器本体４に備えられる照明部４１としては、特に限定されるものではなく、例えば、電球、冷陰極管、発光ダイオード、エレクトロルミネッセンス素子、蝋燭等が挙げられる。この容器本体４には、音声や音楽を入力した制御装置をスイッチとともに搭載させ、このスイッチをオンにすることで所要の音声や音楽を出力させてもよい。例えば、誕生日や結婚式に相応しい音楽を流すこともできる。これにより、音声や音楽による演出も行え、ケーキの受取人をより喜ばすことができる。この照明部４１を光らせるために電源が必要である場合、その電源としては、特に限定されるものではなく、乾電池や蓄電池といった電池、商用電源等が挙げられる。例えば、商用電源を使用する場合、照明部４１と接続されるコンセントを介して商用電源と接続させてもよい。この電源と照明部４１とを電気的に接続することで照明部４１を光らせることができる。
【００３３】
上述のように、本発明のケーキ搬送容器１は、３種の台部により構成されるケーキ台２とケーキ台２を定置する定置部３と定置部３に着脱自在に取り付けられる容器本体４を有している。図４及び図５のように、このケーキ台２は、ケーキ台２にケーキを載せることで、ケーキ台２とともにケーキを定置部３と容器本体４とに内包することができる。そして、第１の台部２１にはケーキ５１が載せられ、第２の台部２２にはケーキ５２が載せられ、第３の台部にはケーキ５３が載せられる。
【００３４】
第１の台部２１に載せられるケーキ５１は、第１の台部２１の板２１０上の棒体２１２が刺し込まれる。すなわち、ケーキ５１に棒体２１２が突き抜けた状態となり、ケーキ５１が第１の台部２１上に載っているだけではなく、この棒体２１２によってケーキ５１を第１の台部２１の板２１０上に固定することができる。このケーキ５１を突き抜けた棒体２１２は、第２の台部５２の脚体２２１に着脱自在に嵌め込まれ、第１の台部２１に第２の台部２２を積み重ねることができる。
【００３５】
第２の台部２２に載せられるケーキ５２は、第２の台部２２の板２２０上の棒体２２２が刺し込まれる。すなわち、ケーキ５２に棒体２２２が突き抜けた状態となり、ケーキ５２を第２の台部２２上に載っているだけではなく、この棒体２２２によってケーキ５２を第２の台部２２の板２２０上に固定することができる。このケーキ５２を突き抜けた棒体２２２は、第３の台部５３の脚体２３１に着脱自在に嵌め込まれ、第２の台部２２に第３の台部２３を積み重ねることができる。
【００３６】
第３の台部２２に載せられるケーキ５３は、第３の台部２３の板２３０上の棒体２３２が刺し込まれる。すなわち、ケーキ５３に棒体２３２が突き刺さった状態となり、ケーキ５３を第３の台部２３上に載っているだけではなく、この棒体２３２によってケーキ５３を第３の台部２３の板２３０上に固定することができる。
【００３７】
これら各台部に載せられたケーキ５１、５２、５３は、装飾された状態で各台部に載せられてもよいが、装飾が未完成な状態で各台部に載せた後に装飾を施してもよい。また、ケーキ５１、５２、５３の種類としては、ショートケーキ、チーズケーキ、チョコレートケーキ等が挙げられ、好みに応じて適宜変更できる。また、各台部に載せられるケーキは、全て同じ種類であってもよいが、異なる種類のケーキを載せてもよい。このケーキ５１、５２、５３への装飾は、特に限定されるものではなく、図４及び図５のように、クリームや苺やメロン等の果物を使用してもよい。また、文字、記号、絵等の装飾をケーキに施してもよい。さらに、容器本体４に取り付けられた照明部４１からの光を反射するような装飾を施してもよい。ケーキ５１、５２、５３は、略同様な装飾を施してもよいが、異なる装飾を施してもよい。
【００３８】
また、ケーキ５３は、その上方に新たな台部やケーキ等が無くケーキ５３全体がよく見えるため、ケーキの上面に別の装飾を施してもよい。例えば、ケーキ５３の上面にケーキの送り主や受取人の顔を描いてもよい。このように、装飾性を高めることができる。ケーキ５３を載せた第３のケーキ台は、第２のケーキ台から容易に取り外すことができるため、ケーキ５３のみを贈答品として持ち帰ることもできる。
【００３９】
ケーキ５２を載せた第２の台部２２は、ケーキ５２を載せた第２の台部２２の脚体２２１に、第１の台部２１のケーキ５１を突き抜けた棒体２１２を着脱自在に嵌め込む。そして、ケーキ５３を載せた第３の台部２３は、ケーキ５３を載せた第３の台部２３の脚体２３１に、第２の台部２２のケーキ５２を突き抜けた棒体２２２を着脱自在に嵌め込む。これにより各台部にケーキが置かれたケーキ台２となる。このケーキ台２を定置部３の窪み３０に第１の台部２１の脚体２１１を入れ、ケーキを載せたケーキ台２を定置部３に定置する。そして、ケーキ台２を定置させた定置部に容器本体４がケーキ台２を内包するように着脱自在に取り付けることで本発明のケーキ搬送容器１にケーキを内包することができる。
【００４０】
本発明のケーキ搬送容器１は、定置部３に容器本体４が着脱自在に取り付けられ、また、定置部３にケーキ台２が着脱自在に嵌め込まれている。したがって、容器本体４を容器に定置部３から取り外し、ケーキ台２を定置部３から取り外すことで容易に容器の外部にケーキを載せたケーキ台２を出すことができる。ケーキ台２に載せられたケーキは、装飾が完成された状態で容器に内包される。すなわち、本発明のケーキ搬送容器１に内包されるケーキは、ケーキへの装飾が完成した状態のまま崩さずに容器から出すことができ、容器から出した後に新たに装飾を施す必要がない。また、従来の脚体の無いケーキ台ではケーキを載せる板状部材を直接テーブル等に置くため、ケーキとテーブルとの間に距離がほとんど無く、ケーキの装飾を崩したり、テーブルを汚したりしてしまう問題点があった。本発明のケーキ搬送容器１は、ケーキ台２に脚体を有しているため、ケーキ台２を置くテーブル等とケーキとの距離を離すことができる。したがってケーキの装飾を崩さず、ケーキ台２を置くテーブル等を汚さない。さらに、ケーキ台２には脚体が備えられているため、定置部３とケーキ台２との間に隙間があり、この隙間に手を入れることで、ケーキをケーキ台２とともに容易に取り出すことができる。
【００４１】
そして、ケーキ台２を構成する各台部は、着脱自在に嵌め込まれているため、各台部にケーキを載せたまま崩さずに各台部を分けることができる。このとき、各台部の脚体とケーキとは接触していないため、ケーキの装飾を崩すことがなく各台部を分けることができる。また、脚体とケーキとが接触しないことで、例えば、各台部を分けた後、それぞれの台部をテーブル等に置いても、テーブル等を汚すことがない。
【００４２】
また、一部を透明としており、内包したケーキを容器外部から視認することができる。したがって、本発明のケーキ搬送容器１は、ケーキの装飾が完成した状態で搬送することができるとともに、装飾が完成したケーキの搬送中に容器外部から視認することができる。さらに、容器本体４に設けられた照明部４１を使用することで光を使用した装飾を行うことができる。このように、本発明のケーキ搬送容器１は、ケーキの搬送する行為自体を演出とすることができる。例えば、結婚式場や飲食店等の人が多く集まるような場所や、結婚式、出産、誕生日等の祝い事等で本発明のケーキ搬送容器１を使用することにより、ケーキの搬送自体が演出となり、ケーキの受取人やその場にいる人をより楽しませることができる。また、内包されたケーキを部屋などの装飾品として配置することもできる。
【００４３】
上述した本発明のケーキ搬送容器１は、容器本体４や定置部３やケーキ台２にドライアイス等の白煙を放出するものを備えてもよい。図６は、上述した白煙放出手段を備える構造の一例を説明する図である。白煙放出手段を備える定置部３には、図６のように、ケーキ台を着脱自在に固定する窪み３０を有する上面に、所定の深さの溝３３が定置部３の外縁に沿って形成されている。この溝３３に白煙を放出するドライアイス等を入れ、それぞれの溝３３の形状に対応する蓋３４を被せることで白煙放出手段を定置部３に備えている。この蓋３４は、白煙を溝３３から放出するために図６のような網状のものであってもよい。ドライアイスは白煙を放出し、その白煙は下方にたまる。これにより、ケーキを搬送する際では、容器本体４内部の下方付近にたまり、搬送するケーキをさらに装飾することができ、容器外部から白煙により装飾されたケーキを見ることができる。また、容器本体４が定置部３から取り外された際、ドライアイスから発生する白煙が定置部３の溝３３から発生し、ケーキの下方を漂うように広がる。このドライアイス由来の白煙がケーキを装飾し、より装飾性を高めることができる。また、ドライアイスにより、容器本体４内部の温度を容器本体外部の温度よりも低く保つこともできる。
【００４４】
この定置部３には、容器本体４及び定置部３とによって形成される空間、すなわち、本発明のケーキ搬送容器の内部の温度を容器外側よりも低く保つために、冷却手段として冷却部を備えてもよい。この冷却部は、定置部３の上面すなわち、容器内部や定置部３の内部に備え付けていてもよい。この冷却部は、ドライアイス、保冷材、氷等が挙げられる。また、これら冷却部は、の冷気の放出を阻害することなく、箱状部材に包んで備え付けてもよい。これにより、例えば、比較的気温が高い場合であっても、所定の時間、ケーキ搬送容器１内の温度を外部の温度よりも低くすることが可能となる。これにより、例えば高い気温の中でケーキを搬送することで、内包されるケーキの一部が溶けて崩れたり、雑菌等の繁殖で傷んだり、ケーキの味が損なわれたりという問題を防ぐとともにケーキを目的の場所まで搬送することが可能となる。
【００４５】
さらに、定置部３又は容器本体４に備えられていてもよい冷却部から発生する冷気を容器内部で拡散させることができるファン等の拡散手段を備えていてもよい。このファンを動かす動力源としては、ファン等の拡散手段を駆動できるものであればどのようなものであってもよく、例えば、乾電池や蓄電池といった電池、商用電源等が挙げられる。この拡散手段の一例であるファンは、この駆動源と電気的に接続され、例えばスイッチをオンとすることで、ファンが回転し、冷却部の冷気を容器内部に拡散することができる。これにより、容器内部を効率的に冷却し、容器外部の温度よりも低く保つことができる。
【００４６】
この拡散手段は、冷却部の冷気を効率的に拡散させるために、冷却部及び冷却部近傍に拡散手段を備えてもよい。例えば、冷却部が定置部３及び容器本体４によって囲われる容器内部に備えられている場合、この拡散手段を容器の内部に備えることで、より容器内部で発生した冷気を拡散し、より効率的に容器内部を冷却し、容器外部の温度も低く保つことができる。この場合、暖かい空気を外に逃がすために容器内部と容器外部とを接続するような孔が設けられていてもよい。また、例えば、冷却部が定置部３の内部に設けられている場合、定置部３には、定置部３の上面と定置部３の内部とを接続する孔等を設け、その孔と接するように拡散手段を備えてもよい。これにより、拡散手段を介して定置部３の内部で発生した冷気を容器内部に導入する。そして、拡散手段は、導入した冷気を容器内部で拡散させることができる。また、定置部３の内部に拡散手段を設ける場合、定置部３の側面に容器外部と接続するような孔を設けてもよい。これにより、例えば、冷蔵庫等のように、容器の外部の温度が容器内部のケーキを保存するために十分な温度である場合に、冷却部を備えなくても、内部に冷気を導入することができる。
【００４７】
また、上述した本発明のケーキ輸送容器１は、ケーキ台２の板の法線と平行な軸を中心としてケーキ台２を回転させるように定置部３に駆動源を備えてもよい。ケーキ台２を回転させることで、ケーキを眺める人が動かなくてもケーキの施された装飾の全てを見せることが可能となる。そして、これによってよりケーキの装飾性を高めることができる。
【００４８】
図７は、ケーキ台を回転させる駆動源を定置部に備えたケーキ台と定置部の断面図である。この定置部３は、回転台３５と、駆動源３７と、基台３９とにより構成されている。回転台３５は、略平板状の部材で、上面にケーキ台２の最下段の脚体の形状及び位置に対応した窪み３０を有している。この窪み３０に着脱自在に固定するようにケーキ台２を定置させると、回転台３５は、ケーキ台２の各板とは平行となる。
【００４９】
駆動源３７は、図示されない所定の電源と接続されることによって軸を中心に回転する回転部３６を有している。そして、この駆動源３７は、回転部３６の軸が回転台３４の法線と平行となるように、回転台３５の下面に固定される。これにより、回転台３４の軸がケーキ台２の板の法線と平行になる。この駆動源３７を回転台３５に固定する位置としては、回転部３６の回転によって回転する回転台３５及びケーキ台２が容器本体と接触しない位置であれば、限定されるものではない。例えば、回転部３６の軸が回転台３５の略中央に位置するように駆動源３７を回転台３５に固定することが挙げられる
【００５０】
基台３９は、その略中央に駆動源３７を納めることができる程度の大きさの凹部３８を有している。そして、この凹部３８には、駆動源３７を固定した回転台３５と基台３９が接触しないように駆動源３７が固定される。この駆動源３７を基台３９に固定する位置としては、回転部３６の回転によって回転する回転台３５及びケーキ台２が容器本体と接触しない位置であれば、限定されるものではない。例えば、回転部３６の軸が基台３９の略中央に位置するように駆動源３７を基台３９の凹部３８に固定することが挙げられる。
【００５１】
これにより、駆動源３７が所定の電源と接続することで回転部３６が回転し、回転部３６の軸を中心に回転台３５が回転し、回転台３５に着脱自在に固定されたケーキ台２が回転する。したがって、上述のように駆動源３７を定置部３に備えることで、ケーキ台２の板の法線と平行な軸を中心としてケーキ台２を回転させることができる。これにより、ケーキの施された装飾の全てを見せることが可能となり、よりケーキの装飾性を高めることができる。
【００５２】
この駆動源３７を駆動させる電源としては、特に限定されるものではなく、乾電池や蓄電池といった電池、商用電源等が挙げられる。例えば、商用電源を使用する場合、駆動源３７と接続されるコンセントを介して商用電源と接続させてもよい。
【００５３】
本発明のケーキ搬送容器は、上述のように脚体と棒体との数は、３つに限られるものではなく、例えば、脚体と棒体の数は、１つであっても、２つであっても、４つであってもよい。また、例えば脚体と棒体との数が１つである場合、上述した定置部に備えた駆動源と同様に、それぞれの台部に回転部の軸がそれぞれの台部の板の法線と平行となるように駆動源を備え、各台部をそれぞれ別々に回転させてもよい。
【図面の簡単な説明】
【００５４】
【図１】本発明のケーキ搬送容器の斜視図である。
【図２】本発明のケーキ搬送容器の分解斜視図である。
【図３】本発明のケーキ搬送容器の容器本体に取り付けられた照明部を示す図である。
【図４】ケーキを内包した本発明のケーキ搬送容器の斜視図である。
【図５】ケーキを載せた本発明のケーキ搬送容器のケーキ台の分解斜視図である。
【図６】本発明のケーキ搬送容器において、冷却手段を備える定置部の構造の一例を示す斜視図である。
【図７】本発明のケーキ搬送容器において、ケーキ台を回転させる駆動源を定置部に備えたケーキ台と定置部との断面図である。
【符号の説明】
【００５５】
１  ケーキ搬送容器
２  ケーキ台
２１  第１の台部
２２  第２の台部
２３  第３の台部
２１０、２２０、２３０  板
２１１、２２１、２３１  脚体
２１２、２２２、２３２  棒体
３  定置部
３０  窪み
３１  係止具
３３  溝
３４  蓋
３５  回転台
３６  回転部
３７  駆動源
３８  凹部
３９  基台
４  容器本体
４０  係止具掛具
４１  照明部
４２  取っ手
５１、５２、５３  ケーキ
【図１】
2006225040.tif 000003
【図２】
2006225040.tif 000004
【図３】
2006225040.tif 000005
【図４】
2006225040.tif 000006
【図５】
2006225040.tif 000007
【図６】
2006225040.tif 000008
【図７】
2006225040.tif 000009